(57)【要約】【課題】簡単な構成で、上下の高さ調節と角度の調節が可能な映像音響機器の可変スタンドを提供する。【解決手段】複数段階の足受け面高さをもつ足受け部を複数個有するベースと一つの足受け面とそれぞれ接地する足部をもつ受け台からなるスタンド装置で、受け台を回転または移動して、同じ高さの接地面を使用して受け台を固定する場合には、高さを変化させることができ、違った高さの接地面を使用して受け台を固定する場合には、角度を変化させて上下の高さ調節と角度の調節を可能にする。【選択図】  図１
2004333801.tif 000002
【特許請求の範囲】
【請求項１】
複数段階の足受け面高さをもつ足受け部を複数個有するベースと、前記足受け面と接地する複数の足部を有する受け台とを備え、前記ベースまたは前記受け台のいずれか一方を回転移動することにより、前記受け台の高さまたは角度が変化することを特徴とする可変スタンド。
【発明の詳細な説明】
【０００１】
【発明の属する技術分野】
本発明は、映像音響機器の設置状態を調整する可変スタンドに関するものである。
【０００２】
【従来の技術】
従来の可変スタンドは、中央に支柱をもつ受け台がこの支柱を昇降可能にするパイプ状支柱に挿入され、この受け台が昇降することにより高さ調節し、締め付けナット等により固定されている（例えば、特許文献１参照。）。
【０００３】
【特許文献１】
実開昭６４−７４８６号公報
【０００４】
【発明が解決しようとする課題】
従来の構造においては上下の設置状態しか調整することができない。また、少なくとも３つ以上の構成部品を必要とし、価格的にも高価なものになるという欠点を有していた。本発明は上記のような課題を解決するもので、簡単な構成で上下の調節または、角度の調節が可能な可変スタンドを提供することを目的とするものである。
【０００５】
【課題を解決するための手段】
この課題を解決するために本発明の可変スタンドは、複数段階の足受け面高さをもつ足受け部を複数個有するベースと、足受け面と接地する複数の足部を有する受け台とを備え、ベースまたは受け台のいずれか一方を回転移動することにより、受け台の高さまたは角度を変化させることができる。
【０００６】
【発明の実施の形態】
以下、本発明の実施の形態について、図１から図６を用いて説明する。
【０００７】
（実施の形態１）
図１は、本発明の実施の形態１における受け台及びベースの設置状態を示した図である。図２は本発明の実施の形態１における足受け部の詳細を示した図、図３は本発明の実施の形態１における初期状態の高さ調節（高）を示した図、図４は本発明の実施の形態１における９０°回転した状態の高さ調節（低）を示した図、図５は本発明の実施の形態１における１８０°回転した状態の角度調節（上向き）を示した図、図６は本発明の実施の形態１における２７０°回転した状態の角度調節（下向き）を示した図である。１０１はベース、１０２は受け台、１０３は受け台足部、２０１は足受け面▲１▼、２０２は足受け面▲２▼、２０３は足受け面▲３▼、２０４は足受け面▲４▼、３０１はスピーカ、３０２は前右足受け部、３０３は前左足受け部、３０４は後左足受け部、３０５は後右足受け部を示している。
【０００８】
以上のように構成された可変スタンドにおいて、図３〜図６における高さ及び、角度調節の状態について説明する。まず図２に示すベース１０１に設けられた足受け部は、高さの違う足受け面▲１▼〜▲４▼からなっており、本実施例においては、一番高い足受け面▲１▼、二番目に高い足受け面▲２▼、三番目に高い足受け面▲３▼、一番低い足受け面▲４▼としており、図３に示す通り前右足受け部３０２の足受け面は正面左前より時計回りに足受け面▲１▼→▲４▼→▲２▼→▲２▼、前左足受け部３０３の足受け面は正面左前より時計回りに足受け面▲１▼→▲４▼→▲２▼→▲３▼、後左足受け部３０４の足受け面は正面左前より時計回りに足受け面▲１▼→▲４▼→▲３▼→▲３▼、後右足受け部３０５の足受け面は正面左前より時計回りに足受け面▲１▼→▲４▼→▲３▼→▲２▼となっている。また、図１で示す受け台１０２の受け台足部１０３は、図３に示す通りそれぞれの足部の前左に配置されている。
【０００９】
以上のように構成された本可変スタンドにおける各状態について説明する。図３に示す状態は、受け台１０２の足部がベース１０１の４つの足受け面がすべて足受け面▲１▼２０１に接地しており、スピーカの高さ調節が高い状態になる。次に図４に示す状態は、ベース１０１を反時計回りに９０°回転することにより、受け台１０２の足部がベース１０１の４つの足受け面がすべて足受け面▲４▼２０４に接地しており、スピーカの高さ調節が低い状態になる。次に図５に示す状態は、ベース１０１を反時計回りに１８０°回転することにより、受け台１０２の足部がベース１０１の４つの足受け面が右前受け部と左前受け部が足受け面▲３▼２０３に接地しており、右後受け部と左後受け部が足受け面▲２▼２０２に接地することにより角度調節（下向き）になる。次に図６に示す状態は、ベース１０１を反時計回りに２７０°回転することにより、受け台１０２の足部がベース１０１の４つの足受け面が右前受け部と左前受け部が足受け面▲２▼２０２に接地しており、右後受け部と左後受け部が足受け面▲３▼２０３に接地することにより角度調節（上向き）になる。このようにして簡単な構成で上下の調節または、角度の調節を可能にする可変スタンドを提供することができる。
【００１０】
（実施の形態２）
また実施の形態１で説明した足受け面高さ▲１▼〜▲４▼の組み合わせを変えることにより、図７で示す組み合わせにより高さのみの調節、図８で示す組み合わせにより角度上向きのみの調節、図９で示す組み合わせにより角度下向きのみの調節が可能になる。
【００１１】
なお、本発明の可変スタンドの形状は、図２に示すものに限定されるものではない。
【００１２】
【発明の効果】
以上のように本発明によれば、比較的安価で簡単な構成で、映像音響機器の設置状態の高さ及び角度を調整することができ、例えばスピーカユニットを受け台１０２に取り付けた場合、使用条件に応じた音響効果を実現することができる。
【図面の簡単な説明】
【図１】本発明の実施の形態１における、受け台及びベースの設置状態を示した図
【図２】本発明の実施の形態１における足受け部の詳細を示した図
【図３】本発明の実施の形態１における初期状態の、スピーカの高さ調節が高い状態を示した図
【図４】本発明の実施の形態１における９０°回転した状態の、スピーカの高さ調節が低い状態を示した図
【図５】本発明の実施の形態１における１８０°回転した状態の角度調節（下向き）を示した図
【図６】本発明の実施の形態１における２７０°回転した状態の角度調節（上向き）を示した図
【図７】本発明の実施の形態２における高さのみの調節を示した図
【図８】本発明の実施の形態２における角度上向きのみの調節を示した図
【図９】本発明の実施の形態２における角度下向きのみの調節示した図
【符号の説明】
１０１  ベース
１０２  受け台
１０３  受け台足部
２０１  足受け面▲１▼
２０２  足受け面▲２▼
２０３  足受け面▲３▼
２０４  足受け面▲４▼
３０１  スピーカ
３０２  前右足受け部
３０３  前左足受け部
３０４  後左足受け部
３０５  後右足受け部
【図１】
2004333801.tif 000003
【図２】
2004333801.tif 000004
【図３】
2004333801.tif 000005
【図４】
2004333801.tif 000006
【図５】
2004333801.tif 000007
【図６】
2004333801.tif 000008
【図７】
2004333801.tif 000009
【図８】
2004333801.tif 000010
【図９】
2004333801.tif 000011